(57)【要約】      （修正有）【課題】従来は画像入力装置で入力した画像を、パソコンに取り込みオペレーターがパソコン上のアプリケーションを操作することにより画像に対する処理を行っていたが、入力装置での操作のみで、各種形式にファイル変換したファイルを作成することができる画像ファイル処理方法を提供する。【解決手段】画像を入力する手段１２と、画像入力時に画像を変換する制御情報を選択し記憶する手段１５と、前記入力した画像と共に前記制御情報を付加してパソコンに転送する手段１０２と、前記転送した画像を前記制御情報に従って、文字認識する手段２０３およびファイル変換する手段２０４、を有する構成としたことにより、パソコンでは入力画像を制御情報に従って自動的に文字認識およびファイル変換されるため、入力装置での操作のみで、ファイル変換したファイルを作成することができる。【選択図】図２
2006048343.tif 000002
【特許請求の範囲】
【請求項１】
画像を入力する手段と、
画像入力時に画像を変換する制御情報を選択する選択手段と、
前記入力した画像と共に前記制御情報を付加して処理装置に転送する転送手段と、
前記転送した画像を前記制御情報に従って、文字認識するとともにファイル変換するファイルコンバート手段、とを有することを特徴とする画像ファイル処理装置。
【請求項２】
入力された画像を変換する制御情報を選択し、入力した画像と共に前記制御情報を付加して処理装置に転送し、前記転送した画像を前記制御情報に従って、文字認識およびファイル変換することを特徴とする画像ファイル処理方法。
【請求項３】
入力された画像を変換する制御情報を選択するステップと、
入力した画像と共に前記制御情報を付加して処理装置に転送するステップと、
前記転送した画像を前記制御情報に従って、文字認識およびファイル変換するステップとを実行することを特徴とする画像ファイル処理プログラム。
【請求項４】
請求項3記載のプログラムが格納された記録媒体。
【発明の詳細な説明】
【技術分野】
【０００１】
本発明は、原稿を入力装置から読み込み、文字認識およびファイル変換を行う画像ファイル処理方式に関するものである。
【背景技術】
【０００２】
近年、ペーパーレス化への要求が高まり、既存文書を電子化し、再利用することが頻繁に行われるようになってきた。
既存文書を電子化して再利用するには、複合機などの画像入力装置からパソコンに画像を転送し、パソコン側で文字認識ソフトウェアを使用して、転送された画像に対して文字認識およびファイル変換処理を行い、目的のファイル形式に変換する作業を行っていた。
【発明の開示】
【発明が解決しようとする課題】
【０００３】
しかしながら、従来技術では画像入力装置で読み込む作業と、パソコン側の文字認識ソフトウェアを操作する作業の両方が必要という問題点を有していた。
【０００４】
本発明は、入力装置での操作のみで、ファイル変換したファイルを作成することができる画像ファイル処理方式を提供することを目的とする。
【課題を解決するための手段】
【０００５】
本発明の画像ファイル処理装置は、画像を入力する手段と、画像入力時に画像を変換する制御情報を選択する手段と、前記入力した画像と共に前記制御情報を付加してパソコンに転送する手段と、前記転送した画像を前記制御情報に従って、文字認識およびファイル変換する手段、を有する構成とした。
これにより、パソコンでは入力画像を制御情報に従って自動的に文字認識およびファイル変換されるため、入力装置での操作のみで、ファイル変換したファイルを作成または、入力した画像ファイルを他のアプリケーションに渡して起動することができる画像ファイル処理方式が得られる。
【発明の効果】
【０００６】
本発明は、入力装置での操作のみで、ファイル変換したファイルを作成することができる画像ファイル処理方式を提供するという効果を有する画像ファイル処理方式を提供することができるものである。
【発明を実施するための最良の形態】
【０００７】
以下、本発明の実施の形態の画像ファイル処理装置について、図面を用いて説明する。
【０００８】
本発明の第１の実施の形態の画像ファイル処理装置を図１に示す。
【０００９】
図１において、本発明の実施の形態の画像ファイル処理装置１は、装置全体の制御を行う中央処理装置（ＣＰＵ）１０があり、ＣＰＵ１０による処理の経過や結果を表示するタッチパネル１１がある。またスキャナー１２は、タッチパネル１１の指示機能と合わせて本発明の入力装置を構成する。
【００１０】
ランダム・アクセス・メモリ（ＲＡＭ）１３は、画像データを保存する画像データ記憶領域１４、制御ファイルを保存する制御ファイル記憶領域１５を有する。
【００１１】
ハードディスク１６は、後述する図３のフローチャートに従う画像処理プログラムを記憶するプログラム記憶領域１７、オペレーティングシステムを記憶するＯＳ記憶領域１８を有する。
【００１２】
リード・オンリ・メモリ（ＲＯＭ）１９は起動プログラム記憶領域２０を有する。
【００１３】
なお、プログラム記憶領域１７に本実施例の画像ファイル処理装置の処理内容が記憶されているが、これはＯＳ記憶領域１８中のオペレーティングシステム上で動作する。また、このオペレーティングシステムが動作するためには起動プログラム記憶領域２０中の起動プログラムが必要である。
【００１４】
以上が入力装置２１の構成であり、例えば複合機などがこの入力装置２１に相当する。
【００１５】
入力装置２２はネットワーク２２を介してファイル処理装置３０と接続される。このファイル処理装置は複数台の構成とすることも可能である。
【００１６】
ファイル処理装置３０において、３１は装置の制御を行う中央処理装置（ＣＰＵ）である。３２はＣＰＵ３１による処理の経過や結果を表示するカソード・レイ・チューブ（ＣＲＴ）であり、本発明のファイル処理装置の表示装置を構成する。
【００１７】
マウス３３及びキーボード３４は本発明のファイル処理装置の入力装置２１を構成する。
【００１８】
ランダム・アクセス・メモリ（ＲＡＭ）３５は、画像データや作業データを保存するワーク領域３６を有する。
【００１９】
ハードディスク３７は、後述する図４のフローチャートに従う画像処理プログラムを記憶するプログラム記憶領域３８、画像や制御ファイルを記憶する画像・制御ファイル記憶領域３９、画像をＯＣＲ処理し他の形式に変換した出力データを記憶する出力データ記憶領域４０、オペレーティングシステムを記憶するＯＳ記憶領域４１を有する。
【００２０】
リード・オンリ・メモリ（ＲＯＭ）４２は起動プログラム記憶領域４３を有する。
【００２１】
なお、プログラム記憶領域３８に本実施例の文字認識結果修正装置の処理内容が記憶されているが、これはＯＳ記憶領域４１中のオペレーティングシステム上で動作する。また、このオペレーティングシステムが動作するためには起動プログラム記憶領域４３中の起動プログラムが必要である。
【００２２】
図２は本発明の一実施例における画像ファイル処理装置の機能ブロック図であり、画像ファイル処理装置の機能手段による構成について示したものである。
【００２３】
図２において、データ転送部１０１は、ハードディスク１６のプログラム領域１７に記憶された処理プログラムをＣＰＵ１０が実行することによって実現される。
【００２４】
また、データ転送部２０２、文字認識部２０３及びコンバート部２０４は、いずれもハードディスク３７のプログラム領域３８に記憶された処理プログラムをＣＰＵ３１が実行することによって実現される。
【００２５】
以上のように構成された画像ファイル処理装置について、図３、図４を用いてその動作を説明する。
【００２６】
図３は本発明の一実施例における画像ファイル処理装置の入力装置における動作フローチャートであり、ＣＰＵ１０がハードディスク１６のプログラム記憶領域１７に記憶された認識処理プログラムを実行する様子について示したものである。
【００２７】
図３において、まず、ハードディスク１６のプログラム領域１７に記憶された画像処理プログラムが起動されると、終了するかどうかを選択し、終了を選択した場合は処理が終了する（ステップ１）。次にユーザーが画像処理方法を選択し（ステップ２）、選択された画像処理方法を制御ファイル記憶領域１５に記憶する（ステップ３）。
【００２８】
次にスキャン開始の指示があるかどうかを調べ、指示がなければ、ステップ１に戻る（ステップ４）。スキャナー１２から画像を入力し、画像データ記憶領域１４に格納する（ステップ５）。画像データ格納領域１４に格納された画像データと制御ファイル記憶領域１５に格納された制御ファイルを、ネットワーク２２を介してファイル処理装置３０のハードディスク３７の画像・制御ファイル記憶領域３９に転送する（ステップ６）。
【００２９】
図４の文書作成ソフト1、表計算ソフト、プレゼンテーションソフト、ＰＤＦ、文書作成ソフト２とは画像をＯＣＲで認識し、変換する形式である。ＯＣＲソフト起動、名刺ソフト起動とは画像を渡すアプリケーションである。これらの内１つを選択することにより、ファイル処理装置で行う処理を指定することができる。
【００３０】
図５は本発明の一実施例における画像ファイル処理装置のファイル処理装置における動作フローチャートであり、ＣＰＵ３１がハードディスク３７のプログラム記憶領域３８に記憶された認識処理プログラムを実行する様子について示したものである。
【００３１】
図５において、ハードディスク３７のプログラム領域３８に記憶された画像処理プログラムが起動されると、終了するかどうかを選択し、終了を選択した場合は処理が終了する（ステップ１１）。画像・制御ファイル記憶領域３９に制御ファイルがあるかどうか調べ、ない場合はステップ１１に戻る（ステップ１２）。画像・制御ファイル記憶領域３９に格納された制御ファイルを解析し、制御ファイルの内容がコンバートかアプリケーション起動か、およびその種類を解析する（ステップ１３）。ステップ１３で解析した制御の種類により（ステップ１４）、アプリケーション起動であればステップ１５に、コンバートであればステップ１６に進む。ステップ１３で解析したアプリケーションの種類に従って、ハードディスク３７のプログラム記憶領域３８に格納された指定のアプリケーションに、画像・制御ファイル記憶領域３９に格納された画像ファイルを渡して起動する（ステップ１５）。画像・制御ファイル記憶領域３９に格納された画像ファイルをＯＣＲ処理を行い、結果をＲＡＭ３５のワーク領域３６に格納する（ステップ１６）。ＯＣＲ処理は公知の技術であり、本発明はその手法については問わない。従って、ここでの説明は省略する。ステップ１３で解析したコンバート種類にしたがって、ワーク領域３６に格納されたＯＣＲ結果をコンバートし、ハードディスク３７の出力データ記憶領域４０に格納する。
【００３２】
以上のように本実施例によれば、入力装置での操作のみで、各種形式にファイル変換したファイルを作成または、入力した画像ファイルを他のアプリケーションに渡して起動することができる（ステップ１７）。
【産業上の利用可能性】
【００３３】
以上のように、本発明にかかる画像ファイル処理装置は、画像を入力する手段と、画像入力時に画像を変換する制御情報を選択する手段と、前記入力した画像と共に前記制御情報を付加してパソコンに転送する手段と、前記転送した画像を前記制御情報に従って、文字認識およびファイル変換する手段、を有する構成としたことにより、パソコンでは入力
画像を制御情報に従って自動的に文字認識およびファイル変換されるため、入力装置での操作のみで、各種形式にファイル変換したファイルを作成または、入力した画像ファイルを他のアプリケーションに渡して起動することができるという効果を有する。
【図面の簡単な説明】
【００３４】
【図１】本発明の第１の実施の形態における画像ファイル処理装置の回路ブロック図
【図２】本発明の第１の実施の形態における画像ファイル処理装置の機能ブロック図
【図３】本発明の第１の実施の形態における画像ファイル処理装置の動作フロー図
【図４】本発明の第１の実施の形態における画像ファイル処理装置の画像処理図
【図５】本発明の第１の実施の形態における画像ファイル処理装置の動作フロー図
【符号の説明】
【００３５】
１０  中央処理演算装置（ＣＰＵ）
１１  タッチパネル
１２  スキャナー
１３  ランダム・アクセス・メモリ（ＲＡＭ）
１４  画像記憶領域
１５  制御ファイル記憶領域
１６  ハードディスク
１７  プログラム記憶領域
１８  ＯＳ記憶領域
１９  リード・オンリ・メモリ（ＲＯＭ）
２０  起動プログラム記憶領域
２１  入力装置
２２  ネットワーク
３０  ファイル処理装置
３１  中央処理演算装置（ＣＰＵ）
３２  カソード・レイ・チューブ（ＣＲＴ）
３３  マウス
３４  キーボード
３５  ランダム・アクセス・メモリ（ＲＡＭ）
３６  ワーク領域
３７  ハードディスク
３８  プログラム記憶領域
３９  画像・制御ファイル記憶領域
４０  出力データ記憶領域
４１  ＯＳ記憶領域
４２  リード・オンリ・メモリ（ＲＯＭ）
４３  起動プログラム記憶領域
１０１  入力装置制御部
１０２  データ転送部
２０１  ファイル処理装置制御部
２０２  データ転送部
２０３  文字認識部
２０４  コンバート部
【図１】
2006048343.tif 000003
【図２】
2006048343.tif 000004
【図３】
2006048343.tif 000005
【図４】
2006048343.tif 000006
【図５】
2006048343.tif 000007